(57)【要約】【課題】本発明は、音楽と同期化された低周波刺激装置を提供する。【解決手段】本発明の低周波刺激装置は、クラシック音楽、ポップス、民謡などのような音楽を再生すると同時に、該再生された音楽と同期化された低周波を発生させ、身体特定部位の神経系を刺激及び治療する低周波刺激装置において、前記クラシック音楽、ポップス、民謡などのような音楽を再生し、前記再生された音楽を制御手段に提供する音再生手段と、前記再生された音楽を出力すると同時に、前記音楽をサンプリングし、前記音楽と同期化された低周波を発生させ、身体特定部位の神経系を刺激するように制御する制御手段と、前記制御手段の制御によって前記音楽と同期化された低周波を発生させる低周波発生手段とを含めて構成される。【選択図】  図１
2008017979.tif 000002
【特許請求の範囲】
【請求項１】
クラシック音楽、ポップス、民謡などのような音楽を再生すると同時に、再生された音楽と同期化された低周波を発生させ、身体特定部位の神経系を刺激及び治療する低周波刺激装置において、
前記クラシック音楽、ポップス、民謡などのような音楽を再生し、前記再生された音楽を制御手段に提供する音再生手段と、
前記再生された音楽を出力すると同時に、前記音楽をサンプリングし、前記音楽と同期化された低周波を発生させ、身体特定部位の神経系を刺激するように制御する制御手段と、
前記制御手段の制御によって前記音楽と同期化された低周波を発生させる低周波発生手段とを含めて構成される音楽と同期化された低周波刺激装置。
【請求項２】
前記音再生手段は、
カセットテープデッキ、コンパクト-ディスクデッキ、ＡＭ/ＦＭチューナー、ＭＰ３メモリなどから音楽を再生し、前記制御手段に伝送する音制御部と、
カセットテープに録音された音楽を再生して出力するカセットテープデッキと、
コンパクト-ディスクに貯蔵された音楽を再生して出力するコンパクト-ディスクデッキと、
放送局から放送する音声信号を受信して出力するＡＭ/ＦＭチューナーと、
着脱可能でありながらＭＰ３などの音楽ファイルを有無線インタネットなどからダウンロードして貯蔵するＭＰ３メモリと、
有無線インタネットや外部メモリからＭＰ３などの音楽ファイルをダウンロードすることが可能となるようにその機能を提供するインターフェースとをさらに含めて構成されることを特徴とする請求項１に記載の音楽と同期化された低周波刺激装置。
【請求項３】
前記制御手段は、
前記音再生手段から再生された音楽を出力し、前記音楽を分析し、音の高低及び音の速度を抽出するサンプリングと、前記サンプリングされた音の高低及び音の速度に合わせて低周波の発生強度及び発生速度を同期化し、低周波を発生させるように全般的な制御を行う制御部と、
前記低周波刺激装置に電源を印加する電源部と、
前記使用者によりカセットテープデッキ、コンパクト-ディスクデッキ、 ＡＭ/ＦＭチューナー、ＭＰ３メモリなどの音再生手段の選択、音の高低、音の速度、低周波発生強度、低周波発生速度などを選択し得るように提供される入力部と、
前記使用者に低周波発生のためのカセットテープデッキ、コンパクト-ディスクデッキ、ＡＭ/ＦＭチューナー、ＭＰ３メモリなどの音再生手段の選択、音の高低、音の速度、低周波発生強度、低周波発生速度など様々なメニューをディスプレーする表示部と、
前記カセットテープデッキ、コンパクト-ディスクデッキ、ＡＭ/ＦＭチューナー、ＭＰ３メモリなどから再生されるアナログ又はデジタル形態の音楽を分析し、前記低周波発生手段で既に設定された低周波発生強度と低周波発生速度とに合わせて音の高低と音の速度を抽出する変復調部と、
前記制御部の制御により前記カセットテープデッキ、コンパクト-ディスクデッキ、ＡＭ/ＦＭチューナー、ＭＰ３メモリなどから再生されるアナログ又はデジタル形態の音楽を増幅し、スピーカー、ヘッドホンなどの外部出力手段を介して出力するアンプ部とをさらに含めて構成されることを特徴とする請求項１に記載の音楽と同期化された低周波刺激装置。
【請求項４】
前記サンプリングは、
前記低周波発生手段から低周波を発生させることが可能な複数段の発生強度と発生速度に合わせて、前記アナログまたはデジタル形態の音楽より音の高低と音の速度とを抽出して同期化することを特徴とする請求項３に記載の音楽と同期化された低周波刺激装置。
【請求項５】
前記低周波発生手段は、
入力される電源を制御する複数個の分圧抵抗と複数個の出力調節を介して前記サンプリングされた音の高低と音の速度に合わせて数十段に低周波発生強度と発生速度を調節することができることを特徴とする請求項１に記載の音楽と同期化された低周波刺激装置。
【請求項６】
前記低周波発生手段は、
指圧突起、導電性パッド、その他低周波伝達手段と連結することが可能な様々なインターフェースを提供することで、前記使用者の身体や身体特定部位に伝達し、神経系を刺激することを特徴とする請求項１に記載の音楽と同期化された低周波刺激装置。
【請求項７】
クラシック音楽、ポップス、民謡などのような音楽を再生すると同時に、再生された音楽と同期化された低周波を発生させ、身体特定部位の神経系を刺激及び治療する低周波刺激装置において、
外部より再生される音楽を入力されるための外部入力手段を含んで、前記クラシック音楽、ポップス、民謡などの音楽を再生し、前記再生された音楽を制御手段に提供する音再生手段と、
前記再生された音楽を出力し、前記再生された音楽をサンプリングし、前記音楽と同期化された低周波を発生させ、身体特定部位の神経系を刺激するように制御する制御手段と、
前記制御手段の制御に伴って前記再生された音楽と同期化された低周波を発生させる低周波発生手段とを含めてなされる音楽と同期化された低周波刺激装置。
【請求項８】
前記外部入力手段は、
外部のオーディオ機器、ＭＰ３プレーヤー、その他音再生装置などにより再生されるクラシック音楽、ポップス、民謡などの様々な音楽を入力されるための入力端子を含めることを特徴とする請求項７に記載の音楽と同期化された低周波刺激装置。
【請求項９】
前記音再生手段は、
外部のオーディオ機器、ＭＰ３プレーヤー、その他音再生装置などにより再生されて入力される音楽と、カセットテープデッキ、コンパクト-ディスクデッキ、ＡＭ/ＦＭチューナー、ＭＰ３メモリなどにより音楽を再生して前記制御手段に伝送する音制御部と、
カセットテープに録音された音楽を再生し、出力するカセットテープデッキと、
コンパクト-ディスクに貯蔵された音楽を再生し、出力するコンパクト-ディスクデッキと、
放送局から放送される音声信号を受信し、出力するＡＭ/ＦＭチューナーと、
着脱可能であり、ＭＰ３などの音楽ファイルを有無線インタネットなどからダウンロードして貯蔵するＭＰ３メモリと、
有無線インタネットや外部メモリからＭＰ３などの音楽ファイルをダウンロードすることが可能な機能を提供するインターフェースとを含めてなされることを特徴とする請求項７に記載の音楽と同期化された低周波刺激装置。
【発明の詳細な説明】
【技術分野】
【０００１】
本発明は、音楽と同期化された低周波刺激装置に関するものである。さらに詳しくは、クラシック音楽、ポップス、民謡などのような音楽を再生すると共に、再生された音楽と同期化された低周波を発生させ、身体特定部位の神経系を刺激及び治療するという音楽と同期化された低周波刺激装置に関する。
【背景技術】
【０００２】
近年、人々はカセットテープ、コンパクト-ディスク(以下、ＣＤと略する)、ＡＭ/ＦＭ放送局よりの放送などをオーディオ機器、ＭＰ３プレーヤー、カラオケ伴奏器などのような音再生装置を介して音楽を楽しむことになった。
【０００３】
精神分析学によれば、人間にとってもっとも安心で居心地よく思われるところとは、母の子宮中の羊水に包まれている時だと言われる。こうした点に鑑みて、ヒーリング‐ミュージック(音楽療法)においても、水を話題にした音楽が症状に効果があるものと知られている。勉強や仕事によるストレスがたまって、「あ〜、疲れたな」と感じられた時に、ドビュッシーの「水の反映」、ラヴェルの「水の戯れ」、ヘンデルの「水上の音楽」、それとも水そのものの自然音を録音して聞くと、心身の疲れを癒してくれるといわれる。
【０００４】
また、人間の生命活動又は生活には、一定の波があり、且つ、その波に乗っている状態を‘快’の状態と言い、例えば、ワルツを聴くと、その曲の軽快なリズムが疲れた心身に好適なマッサージ効果をもたらす。また、ハチャトゥリアン(Khachaturian)の「剣の舞」を聴いてみると、内面からパワーが湧いてくるような気分となると共に、元気一杯になると言える。
【０００５】
こうしたように、現代人の持っている不安、焦燥、欲求不満などが、静かで遅いか、又は軽快で速いテンポの音楽を聴き流すことによって、我々の体に心地よい休息や心の安定感を与えてくれる。
【０００６】
一方、人体の血液循環を促進させる目的で低周波振動を通じた周波治療器が案出されているが、該低周波治療器は、直流電源を昇圧し、略１００ｈｚ未満の低周波を形成し、この出力を‘＋’、‘−’導子に連結し、前記導子を人体に接触させることによって、低周波刺激が人体に伝わるように構成されている。
【０００７】
前記低周波治療器は、人体の経穴部位又は筋肉痛のある部分などに接触させることから、治療の効果が得られるように用いられている。前記低周波治療器は該出力を調節すべくボリューム方式のマイクロコントローラ(Micro Controller、以下マイコンと称する)制御による出力段階を設定することによって分けられる。
【０００８】
ボリューム方式は、出力段数が無段で調節可能であるとの利点を有しているものの、マイコンによるデジタル式制御が不可能であり、使用者によるアナログ式制御が行われるものであるため、使い勝手が悪いという短所を持っていた。
【０００９】
したがって、マイコンを介して制御及び表示を行う場合には、前記のようなアナログ方式に比して様々な制御と制御状態の細分化された表示及び複数段階の自動化された治療コース具現が可能となる利点がある。
【００１０】
前記従来技術によれば、マイコンの低周波出力を指定し、可変的に出力制御が可能となるように設けられた出力指定部は、マイコンの出力ポート四つを用いてそれぞれ相違した抵抗を分圧抵抗に形成して分圧比を調節するため、低周波出力部の入力電源の増幅度を制御する。ここで、出力調節段階は、四箇所の分圧抵抗の調合比である１０段階の調節をなすことになる。
【００１１】
こうした低周波治療器は、足の裏又は身体の特定部位に取り付けることができる指圧突起や導電性パッドなどを用いて神経系を刺激し、治療を行っている。しかしながら、前記低周波治療器が使用している低周波は、単純なリズムやランダムに低周波を発生させ、身体の各部位の神経系を刺激するため、それほど効果が期待できず、且つ、長時間使用する場合にはむしろ退屈感を覚え、治療の効果が得難いとの短所もがあった。
【発明の開示】
【発明が解決しようとする課題】
【００１２】
本発明は、かかる従来技術の問題点等に鑑みてなされたものであって、クラシック音楽、ポップス、民謡などのような音楽を再生すると同時に、再生された音楽と同期化された低周波を発生させ、身体特定部位の神経系を刺激及び治療する低周波刺激装置を提供することにその目的がある。
【００１３】
また、他の目的としては、前記使用者にとって好きな音楽を楽しむことができると共に、低周波治療を受けることができるようにすることから、治療の効果をさらに増進させることである。
【課題を解決するための手段】
【００１４】
前述した目的を達成するために、本発明は、クラシック音楽、ポップス、民謡などのような音楽を再生すると同時に、再生された音楽と同期化された低周波を発生させ、身体特定部位の神経系を刺激及び治療する低周波刺激装置において、前記クラシック音楽、ポップス、民謡などのような音楽を再生し、前記再生された音楽を制御手段に提供する音再生手段と、前記再生された音楽を出力すると同時に、前記音楽をサンプリングし、前記音楽と同期化された低周波を発生させ、身体特定部位の神経系を刺激するように制御する制御手段と、前記制御手段の制御によって前記音楽と同期化された低周波を発生させる低周波発生手段とを含めて構成される低周波刺激装置が提供される。
【００１５】
また、外部より再生される音楽を入力されるための外部入力手段を含んで、前記クラシック音楽、ポップス、民謡などの音楽を再生し、前記再生された音楽を制御手段に提供する音再生手段と、前記再生された音楽を出力すると同時に前記音楽をサンプリングし、前記音楽と同期化された低周波を発生させ、身体特定部位の神経系を刺激するように制御する制御手段及び、前記制御手段の制御により前記音楽と同期化された低周波を発生させる低周波発生手段とを含めてなされる周波刺激装置を提供することによって達成される。
【発明の効果】
【００１６】
以上で詳述したように、本発明の音楽による低周波刺激装置は、ランダムに発生する低周波よりは、使用者が任意に選び出したクラシック音楽、ポップス、民謡などの音楽と同期化された低周波が発生されることによって、好きな音楽を楽しみながら、低周波治療を受けることができ、治療の効果をさらに増進させることが可能となる。
【発明を実施するための最良の形態】
【００１７】
以下、図面を参照とし、本発明の望ましい実施例による音楽と同期化された低周波刺激装置について、さらに詳しく説明する。
【００１８】
図１は、本発明の望ましい一実施例による音楽と同期化された低周波刺激装置の全体構成を示す図面であり、図２は、本発明による音楽と同期化された低周波刺激装置が搭載された様々な形態の低周波治療器を示す図面である。
【００１９】
次に、図１と図２に基づいて、低周波刺激装置をさらに具体的に説明する。
本発明の低周波刺激装置２００は、音再生手段２２０、制御手段２１０、低周波発生手段２５０とを含めて構成される。
【００２０】
前記音再生手段２２０は、前記低周波刺激装置２００に内装され、音楽を再生するものであって、カセットテープやＣＤによるクラシック音楽、ポップス、民謡などようなアナログ音楽と、ＡＭ/ＦＭを介した放送局からの放送による様々な音楽、デジタル音楽のＭＰ３ファイルなどを出力するカセットテープデッキ２２２、ＣＤデッキ２２４、ＡＭ/ＦＭチューナー２２６、ＭＰ３メモリ２２８などを直接制御することで音楽を再生し、前記再生された音楽と同期化された低周波を発生させることができるように前記制御手段２１０に提供する機能を奏する。
【００２１】
前記制御手段２１０は、前記音再生手段２２０を制御し、前記カセットテープデッキ２２２、ＣＤデッキ２２４、ＡＭ/ＦＭチューナー２２６、ＭＰ３メモリ２２８などから再生されて出力されるクラシック音楽、ポップス、民謡などの音楽を全般的に管理し、前記再生された音楽をサンプリングし、低周波を発生させることができるデータに変えて、音楽のボリュームレベルと低周波の出力レベルとに従って低周波を発生させ、身体特定部位の神経系を刺激するように制御する役割を行う。
【００２２】
前記低周波発生手段２５０は、前記制御手段２１０の制御に伴って前記音再生手段２２０により再生された音楽と同期化された低周波を発生させる役割を奏するが、入力される電源を制御する複数個の分圧抵抗と複数個の出力調節を介して低周波信号の発生強度と発生速度を数十段に分けて出力調節し、前記サンプリングされたクラシック音楽、ポップス、民謡などの音の高低及び音の速度と同期化された低周波発生強度及び発生速度を調節し、低周波信号を出力する役割を行う。また、前記低周波信号は、指圧突起、導電性パッド、その他低周波伝達手段に連結され、前記使用者の身体や身体特定部位に伝わることによって、神経系を効率よく刺激し、治療を行うことが可能となる。
【００２３】
前記低周波刺激装置２００は、図２に示されたように指圧突起を用いて足の裏を治療する足反射器５００と、電線を用いた導電性パッドを身体の各部位に付着することで治療をする低周波治療器６００と、その他低周波発生手段などとを含めることを特徴とし、前記音楽を外部に出力し得るように、スピーカー、ヘッドホンなどと連結することができる出力端子を含む外部出力手段２４０を提供する。
【００２４】
図３は、本発明による音楽と同期化された低周波刺激装置の内部ブロック構成を示す図面である。図３を参照とし、さらに具体的に説明する。
先ず、前記音再生手段２２０は、音制御部２２１、カセットテープデッキ２２２、ＣＤデッキ２２４、ＡＭ/ＦＭチューナー２２６、 ＭＰ３メモリ２２８、インターフェース２２９をさらに含めて構成される。
【００２５】
前記音制御部２２１は、前記制御手段２１０の制御により前記カセットテープデッキ２２２、ＣＤデッキ２２４、ＡＭ/ＦＭチューナー２２６、ＭＰ３メモリ２２８からクラシック音楽、ポップス、民謡などの音楽を再生して出力し、出力された音楽を制御し、前記制御手段２１０に伝送する役割を奏する。
【００２６】
前記カセットテープデッキ２２２は、一般のカセットテープが入力されることでカセットテープに録音されたクラシック音楽、ポップス、民謡などの音楽を出力する役割を奏する。
【００２７】
前記ＣＤデッキ２２４は、一般のＣＤが入力されることでＣＤに貯蔵されていたクラシック音楽、ポップス、民謡などの音楽を出力する役割を奏する。
【００２８】
前記ＡＭ/ＦＭチューナー２２６は、放送局から送られる音声信号を受信して出力する役割を奏する。
【００２９】
前記ＭＰ３メモリ２２８は、着脱可能なメモリであって、前記インターフェース２２９を介して有無線インタネットや外部メモリ部からダウンロード又は複写されたＭＰ３などの音楽ファイルを保存しており、前記ＭＰ３メモリ２２８により貯蔵されたＭＰ３ファイルが音楽に再生されることになる。
【００３０】
前記インターフェース２２９は、有無線インタネットや外部メモリ部からＭＰ３などの音楽ファイルをダウンロード可能にするが、前記インターフェース２２９は、ＵＳＢ(Universal Serial Bus)ポット、直列又は並列ポット、赤外線ポートなどを介して個人端末機や有無線インタネット接続が可能な端末機を利用してＭＰ３などの音楽ファイルを受信することが可能となるように該機能を提供する。
【００３１】
次に、前記制御手段２１０は、制御部２１１、変復調部２１３、アンプ部２１４、電源部２１５、入力部２１６、表示部２１７をさらに含めて構成される。
【００３２】
前記制御部２１１は、前記音再生手段２２０により再生されるクラシック音楽、ポップス、民謡などの音楽を制御し、前記アンプ部２１４と外部出力手段２４０を介して外部のスピーカー、ヘッドホンなどに出力し、前記音楽を分析し、音の高低及び音の速度を抽出するサンプリングと、前記サンプリングされた音の高低及び音の速度に合わせて低周波の発生強度及び発生速度を同期化し、低周波を発生させるように全般的な制御を行う。また、有無線インタネットや外部メモリに貯蔵されたＭＰ３などの音楽ファイルの情報を入力されて前記ＭＰ３メモリ２２８に貯蔵する機能をも行う。
【００３３】
前記変復調部２１３は、前記カセットテープデッキ２２２とＣＤデッキ２２４、ＡＭ/ＦＭチューナー２２６、 ＭＰ３メモリ２２８などから再生されるクラシック音楽、ポップス、民謡などのようなアナログ、又はデジタル形態の音楽を分析し、サンプリングする役割を奏するが、前記変復調部２１３により行われるサンプリングはアナログ又はデジタル形態の音楽を分析し、前記低周波発生手段から低周波を発生させることができる複数個の低周波発生強度と低周波発生速度に合わせて音の高低と音の速度を抽出して変換することが望ましい。
【００３４】
前記アンプ部２１４は、カセットテープデッキ２２２、ＣＤデッキ２２４、ＡＭ/ＦＭチューナー２２６、 ＭＰ３メモリ２２８などから再生されるクラシック音楽、ポップス、民謡などのようなアナログ又はデジタル形態の音楽を増幅し、外部出力手段２４０のスピーカー、ヘッドホンを介して外部に出力する機能を奏する。
【００３５】
前記電源部２１５は、前記低周波刺激装置２００に電源を印加する。
前記入力部２１６は、前記使用者により入力されたカセットテープとＣＤなどを用いてカセットテープデッキ２２２とＣＤデッキ２２４、及びＡＭ/ＦＭチューナー２２６、ＭＰ３メモリ２２８などの音再生手段により再生する音楽の選択、音の高低、音の速度、低周波発生強度、低周波発生速度などを制御することができるように、様々なメニューを選択するのに必要とされる数字/文字などの選択キーを提供する。
【００３６】
表示部２１７は、低周波発生のためのカセットテープデッキ２２２とＣＤデッキ２２４、ＡＭ/ＦＭチューナー２２６、ＭＰ３メモリ２２８から再生される音の高低、音の速度、低周波発生強度、低周波発生速度、低周波表示などの様々なメニューをディスプレーして、使用者に提供する。
【００３７】
図４は、本発明の望ましい一実施例による音楽と同期化された低周波刺激装置の全体的な構成を示す図面である。図４に示された他の実施例である低周波刺激装置２００は外部入力手段２３０を含める音再生手段２２０、制御手段２１０、低周波発生手段２３０からなり、外部の音再生装置１００のオーディオ機器、ＭＰ３プレーヤー、その他音再生装置により再生される音楽を入力され、音楽と同期化された低周波を発生せしめることができるように構成されたものであって、前記音再生手段２２０は、前記低周波刺激装置２００に内装され、音楽を再生する手段として、外部より再生される音楽を入力されるための外部入力手段２３０を含むことにその特徴がある。
【００３８】
前記音再生手段２２０は、カセットテープ及びＣＤを通じたクラシック音楽、ポップス、民謡などのアナログ音楽と、ＡＭ/ＦＭを介して放送局から放送される様々な音楽、デジタル音楽のＭＰ３ファイルなどを出力するカセットテープデッキ２２２、ＣＤデッキ２２４、ＡＭ/ＦＭチューナー２２６、ＭＰ３メモリ２２８などを直接制御することで音楽を再生し、前記再生された音楽と同期化された低周波を発生させることができるように前記制御手段２１０に提供する機能を行う。
【００３９】
前記外部入力手段２３０は、外部のオーディオ機器、ＭＰ３プレーヤー、その他音再生装置から再生されるクラシック音楽、ポップス、民謡などの様々な音楽を入力されるための入力端子を含めることにその特徴がある。
【００４０】
前記制御手段２１０は、前記音再生手段２２０を制御し、前記カセットテープデッキ２２２、ＣＤデッキ２２４、ＡＭ/ＦＭチューナー２２６、ＭＰ３メモリ２２８などにより再生されて出力されるクラシック音楽、ポップス、民謡などの音楽を全般的に管理すると共に、前記再生された音楽をサンプリングし、低周波を発生させることができるデータに変換し、音楽のボリュームレベルと出力レベルによって低周波を発生させ、身体特定部位の神経系を刺激するように制御する役割を奏する。
【００４１】
前記低周波発生手段２５０は、前記制御手段２１０の制御により前記音再生手段２２０から再生された音楽と同期化された低周波を発生させる役割を奏するが、入力される電源を制御する複数個の分圧抵抗と複数個の出力調節を介して低周波信号の発生強度と発生速度を数十段に分けて出力調節することができ、且つ、前記サンプリングされたクラシック音楽、ポップス、民謡などの音の高低と音の速度と同期化された低周波発生強度と発生速度とを調節し、低周波信号を出力する。
【００４２】
また、前記低周波信号は、指圧突起、導電性パッド、その他低周波伝達手段に連結されることで前記使用者の身体や身体特定部位に伝わり、神経系を効率よく刺激し、治療をすることになる。
【００４３】
その他、前記音再生手段２２０、制御手段２１０、低周波発生手段２５０の細かいブロック構成と該機能については、図３を基に前述した内容と同様であるため、具体的な説明は省略する。
【００４４】
以下では、前述した構成からなる本発明の望ましい実施例による音楽と同期化された低周波刺激装置の動作原理を詳しく説明する。
先ず、使用者は低周波刺激装置２００の電源をオンにし、前記制御手段２１０の入力部２１６を介して前記表示部２１７にディスプレーされるメニューのうちに、低周波信号の出力レベルと音楽のボリュームとを選択し、前記カセットテープデッキ２２２、ＣＤデッキ２２４、ＡＭ/ＦＭチューナー２２６、ＭＰ３メモリ２２８などの音再生手段２２０を介してクラシック音楽、ポップス、民謡などの音楽が録音されたカセットテープ、ＣＤ、放送番組、 ＭＰ３音楽ファイルなどを実行し、次いで前記外部出力手段２３０にヘッドホンを連結する。
【００４５】
前記再生された音楽は、前記音制御部２２１により管理及び制御され、前記制御手段２１０の制御部２１１に送られることになれば、前記制御部２１１は、再生される音楽を前記アンプ２１４と前記変復調部２１３とに送ることになる。
【００４６】
前記アンプ２１４は、前記制御部２１１の制御によって再生される音楽をさらに増幅し、前記外部出力手段２４０を介してヘッドホンに出力し、前記使用者がクラシック音楽、ポップス、民謡などの音楽を聴くことができるようにし、前記変復調部２１３は前記制御部２１１の制御によって、前記再生された音楽を分析し、低周波発生強度と低周波発生速度に合わせて音の高低と音の速度とを抽出し、サンプリングすることになる。前記サンプリングされた音の高低と音の速度は前記低周波発生手段２５０から入力される電源を制御する複数の分圧抵抗と複数の出力調節により低周波発生強度及び低周波発生速度と同期化され、低周波信号を発することになる。
【００４７】
また、前記発生された低周波信号は、指圧突起、導電性パッド、その他低周波伝達手段などを介して前記再生された音楽の高低と速度に合わせて使用者の身体又は身体特定部位の各種神経系を刺激することになる。
【００４８】
ここでは、前述した本発明による望ましい実施例を参照としながら説明したが、当該技術分野の熟練した当業者は、特許請求の範囲に記載された本発明の思想及び領域から逸脱されない範囲内にて本発明を様々に修正及び変形することができるのは理解できよう。
【図面の簡単な説明】
【００４９】
【図１】本発明の望ましい一実施例による音楽と同期化された低周波刺激装置の全体的な構成を示す図面である。
【図２】本発明による音楽と同期化された低周波刺激装置が搭載された様々なタイプの低周波治療器を示す図面である。
【図３】本発明による音楽と同期化された低周波刺激装置の内部ブロック構成を示す図面である。
【図４】本発明の他の望ましい一実施例による音楽と同期化された低周波刺激装置の全体的な構成を示す図面である。
【符号の説明】
【００５０】
１００  外部の音再生装置
２００  低周波刺激装置
２１０  制御手段
２１１  制御部
２１３  変複調部
２１４  アンプ部
２１５  電源部
２１６  入力部
２１７  表示部
２２０  音再生手段
２２１  音制御部
２２２  カセットテープデッキ
２２４  コンパクト-ディスクデッキ
２２６  ＡＭ/ＦＭチューナー
２２８  ＭＰ３メモリ
２２９  インターフェース
２３０  外部入力手段
２４０  外部出力手段
２５０  低周波発生手段
【図１】
2008017979.tif 000003
【図２】
2008017979.tif 000004
【図３】
2008017979.tif 000005
【図４】
2008017979.tif 000006